(57)【要約】      （修正有）【課題】様々なモダンなスタイルの住宅環境と、神棚のある生活とを無理なく調和させることができ、またマンション等の比較的手狭な住宅の室内環境でも、室内スペースを大きく減ずることなく無理なく容易に取付け可能な神棚ユニットを提供する。【解決手段】本神棚ユニットＵは、前後に扁平な箱状の収納ボックスＢと、その収納ボックスＢ内に収納された神棚本体Ｋとよりなり、前記収納ボックスＢは、前面が開放されると共に後部が住宅の壁面Ｗの平坦部又は凹部に取付けられるボックス本体１と、このボックス本体１の開放前面を開閉可能として該ボックス本体１に支持される開閉扉２とを備え、前記開閉扉２の少なくとも前面には装飾２ａが施されている。【選択図】図２
0003155844.tif 000002
【実用新案登録請求の範囲】
【請求項１】
前後に扁平な箱状の収納ボックス（Ｂ）と、宮形に形成されて前記収納ボックス（Ｂ）内に収納、固定される神棚本体（Ｋ）とよりなる神棚ユニットであって、
前記収納ボックス（Ｂ）は、前面が開放されると共に後部が住宅の壁面（Ｗ）の平坦部（Ｗｆ）又は凹部（Ｗｏ）に取付けられるボックス本体（１）と、このボックス本体（１）の開放前面（１ｆ）を開閉可能として該ボックス本体（１）に支持される開閉扉（２）とを備え、
前記開閉扉（２）の少なくとも前面には装飾（２ａ）が施されていることを特徴とする、神棚ユニット。
【請求項２】
前記ボックス本体（１）には、その内部を上側の神棚本体収納空間（Ｃ１）と、下側の物入れ空間（Ｃ２）とに区画する仕切り部材（Ｓ）が設けられ、
その仕切り部材（Ｓ）には、物品を載置し得る載置板（３）が、前記ボックス本体（１）の前端よりも前方側に張り出した張出位置（３Ｂ）と、前記ボックス本体（１）内に収まる格納位置（３Ａ）との間を移動できるように設けられることを特徴とする、請求項１に記載の神棚ユニット。
【請求項３】
前記開閉扉（２）は、開き位置（２Ｘ）と閉じ位置（２Ｙ）との間で左右方向にスライド可能として前記ボックス本体（１）に取付けられることを特徴とする、請求項１又は２に記載の神棚ユニット。
【考案の詳細な説明】
【技術分野】
【０００１】
本考案は、神棚を住宅の狭い室内空間にも無理なく設置可能な神棚ユニットに関するものである。
【背景技術】
【０００２】
従来、住宅内に設置される神棚は、室内に常に露出した状態に置かれると共に、住宅の壁面に専用の取付具を用いて直接、取付けられるようになっていた。
【考案の概要】
【考案が解決しようとする課題】
【０００３】
しかしながら近年、様々なライフスタイルに合わせたモダンな住宅が提供されつつあり、このような住宅の室内空間に古式の神棚が常時露出した状態で置かれると、そこだけがモダンな室内環境から浮いてしまい、違和感を感じさせる場合がある。
【０００４】
またマンション等の比較的手狭な住宅の室内環境では、前後に嵩張る神棚を取付けるのにスペース上、困難を生じたり、大きな制約が有ったりする場合が多い。
【０００５】
本考案は、上記に鑑み提案されたものであって、従来の上記問題を一挙に解決することができる神棚ユニットを提供することを目的とする。
【課題を解決するための手段】
【０００６】
上記目的を達成するために、本考案は、前後に扁平な箱状の収納ボックスと、宮形に形成されて前記収納ボックス内に収納、固定される神棚本体とよりなる神棚ユニットであって、前記収納ボックスは、前面が開放されると共に後部が住宅の壁面の平坦部又は凹部に取付けられるボックス本体と、このボックス本体の開放前面を開閉可能として該ボックス本体に支持される開閉扉とを備え、前記開閉扉の少なくとも前面には装飾が施されていることを第１の特徴とする。
【０００７】
また本考案は、前記第１の特徴に加えて、前記ボックス本体には、その内部を上側の神棚本体収納空間と、下側の物入れ空間とに区画する仕切り部材が設けられ、その仕切り部材には、物品を載置し得る載置板が、前記ボックス本体の前端よりも前方側に張り出した張出位置と、前記ボックス本体内に収まる格納位置との間を移動できるように設けられることを第２の特徴とし、さらに前記第１又は第２の特徴に加えて、前記開閉扉が、開き位置と閉じ位置との間で左右方向にスライド可能として前記ボックス本体に取付けられることを第３の特徴とする。
【考案の効果】
【０００８】
本考案の第１の特徴によれば、宮形をなす神棚本体を前後に扁平な箱状の収納ボックスに収納、固定し、その収納ボックスの開放前面を、装飾を施した開閉扉で閉じることにより、神棚本体を体裁よく隠蔽できるようにしたので、神棚本体がモダンな室内環境から浮いたり違和感を感じさせたりする虞れはなく、従って、様々なスタイルの住宅環境と、神棚のある生活とを無理なく調和させることができる。しかも前後に扁平な箱状をなす上記収納ボックスのボックス本体後部を住宅の壁面の平坦部又は凹部に取付けるだけで、神棚の設置作業を簡単に行うことができるため、取り扱いが簡便であり、また前後に扁平な収納ボックスを壁面に沿って設置可能となるため、マンション等の比較的手狭な住宅の室内環境でも、室内スペースを大きく減ずることなく無理なく取付け可能となる。
【０００９】
また本考案の第２の特徴によれば、ボックス本体に設けた仕切り部材に、物品を載置し得る載置板が、ボックス本体の前端よりも前方側に張り出した張出位置と、ボックス本体内に収まる格納位置との間を移動できるように設けられるので、前後に扁平な収納ボックスの採用に伴いボックス本体の奥行きが小さくなっても、神棚の使用時には、張出位置に引き出した載置板上にお供え物等の物品を載せるスペースを十分に確保可能となり、またその載置板は、不使用時には格納位置にコンパクトに格納しておくことができる。しかもボックス本体内を上側の神棚本体収納空間と、下側の物入れ空間とに区画する仕切り部材を利用して上記載置板が取付けられるので、それだけ載置板の取付構造の構造簡素化が図られ、さらにその仕切り部材下側の空間を物入れ空間として有効活用できる。
【００１０】
また本考案の第３の特徴によれば、開閉扉が、開き位置と閉じ位置との間で左右方向にスライド可能としてボックス本体に取付けられるので、その扉を開いた状態でも、それが前側の室内空間に大きく張り出してくる心配がなく、また開閉操作性も良好である。
【図面の簡単な説明】
【００１１】
【図１】本考案の第１実施例に係る神棚ユニットの住宅壁面（平坦部）への取付け態様を示す斜視図
【図２】前記神棚ユニットの開閉扉を開いた状態を示す正面図（図１の２矢視図）
【図３】図２の３−３線から見た拡大断面図
【図４】前記神棚ユニットの住宅壁面（凹部）への取付け態様を示す図３対応図
【図５】本考案の第２実施例に係る神棚ユニットを示す図１対応図
【考案を実施するための形態】
【００１２】
以下、本考案の実施の形態について、添付の図面を参照しながら説明する。
【００１３】
先ず、本考案の第１実施例を示す図１〜図３において、住宅の壁面Ｗに設置される神棚ユニットＵは、前後に扁平な箱状をなす収納ボックスＢと、宮形に形成されて収納ボックスＢ内に収納、固定される神棚本体Ｋとより構成される。前記神棚本体Ｋは、左右方向に延びる帯板状の棚板部Ｋｔと、この棚板部Ｋｔ上に一体的に立設された宮部Ｋｍとを備えている。
【００１４】
また前記収納ボックスＢは、前面が開放されると共に後部が住宅の壁面Ｗの平坦部Ｗｆに取付けられるボックス本体１と、このボックス本体１の開放前面１ｆを開閉可能として該ボックス本体１に支持される開閉扉２とを備える。
【００１５】
そのボックス本体１の壁面Ｗへの固定手段として、図示例では、ボックス本体１の後壁部１ｒを貫通して壁面Ｗにねじ込まれる複数のタッピングボルトｂ（図２，図３参照）が使用されるが、従来公知の他の固定手段を用いてもよい。例えば、壁面Ｗに植設された図示しないフックに、ボックス本体１の後壁部１ｒに設けた図示しない係合凹部又は係合孔を係止させるようにしてもよい。
【００１６】
前記ボックス本体１は、これを前後に扁平な直方体状に形成したことにより、開放前面１ｆの間口に対し奥行き（即ち前後幅）がかなり小さい箱状となっており、このボックス本体１内に収まるよう神棚本体Ｋも前後幅が比較的コンパクトに構成される。尚、このようにコンパクトに構成される点を除けば、神棚本体Ｋの形態自体は従来普通の神棚と基本的に同様の宮形形態をなしている。
【００１７】
前記ボックス本体１には、その内部を上側の神棚本体収納空間Ｃ１と、下側の物入れ空間Ｃ２とに区画する水平厚板状の仕切り部材Ｓが固着されており、その仕切り部材Ｓには、物品を載置し得る水平薄板状の載置板３が、ボックス本体１の前端よりも前方側に張り出した張出位置３Ｂ（図３鎖線位置）と、ボックス本体１内に収まる格納位置３Ａ（図３実線位置）との間を往復移動できるように設けられる。
【００１８】
前記仕切り部材Ｓには、図示例においては、載置板３に対応した形態の支持凹部４がスリット状に形成されており、この支持凹部４内に載置板３が前記張出位置３Ｂと格納位置３Ａとの間を前後摺動できるように嵌装される。前記支持凹部４の下側壁には、格納位置３Ａにある載置板３の前端部下面を露出させて使用者の手が載置板３を摘み易くするための彎曲した切欠き部５が前向きに形成される。尚、載置板３は、これと前記支持凹部４の内面との間に作用する摩擦により、前記張出位置３Ｂと格納位置３Ａとの間の任意の引出し位置に静止させることができる。
【００１９】
前記神棚本体Ｋは、仕切り部材Ｓの上面及び／又はボックス本体１の後壁部１ｒ前面に接着等の適宜の固定手段により固定される。これにより、ボックス本体１の神棚本体収納空間Ｃ１内で神棚本体Ｋが妄りにガタつくことはなく、また開閉扉２を開けた時に神棚本体Ｋが不用意に落下しないようになっている。
【００２０】
前記ボックス本体１内の前記下側の物入れ空間Ｃ２には、お供え物や蝋燭立て等の神棚関連物品６が収納可能である。従って、開閉扉２を開け、載置板３を張出位置３Ｂまで引き出した状態で、その載置板３上に神棚関連物品６を適宜、載置して飾っておくことができる。
【００２１】
前記開閉扉２は、ボックス本体１の開放前面１ｆを単独で被覆し得るよう該開放前面１ｆよりも若干大きい矩形板状に形成される扉本体２ｍと、その扉本体２ｍの上端縁及び下端縁にそれぞれ一体に連設された後向きの上部及び下部フランジ部２ｕ，２ｄとより構成される。
【００２２】
その上部及び下部フランジ部２ｕ，２ｄは、ボックス本体１の上側壁１ｕ及び下側壁１ｄの各前端部をそれぞれ上方及び下方より覆っている。その上部及び下部フランジ部２ｕ，２ｄと、ボックス本体１の上側壁１ｕ及び下側壁１ｄとの各間には、互いに協働して開閉扉２を左右方向に摺動可能に案内、支持する従来周知のスライド機構Ｍｕ，Ｍｄがそれぞれ介装される。そして、その開閉扉２は、上記左右方向の摺動により、ボックス本体１の開放前面１ｆを開放する開き位置２Ｘ（図１鎖線、図２実線）と、同開放前面１ｆを閉塞する閉じ位置２Ｙ（図１実線、図２鎖線）との間を任意に往復移動可能である。尚、図示はしないが、ボックス本体１と開閉扉２との間には、開閉扉２の閉じ方向への摺動限界を閉じ位置２Ｙで規制するストッパ手段が設けられる。
【００２３】
前記開閉扉２の少なくとも前面、即ち扉本体２ｍの表面には、外観体裁が良好な凹凸模様等の装飾２ａが適宜施されており、この装飾２ａにより、神棚ユニットＵをモダンな住宅の室内空間と調和させることができる。なお、図示はされていないが、開閉扉２のその他の外表面やボックス本体１の外表面にも、装飾を適宜施すようにしてもよい。
【００２４】
次に本考案の第１実施例の作用について説明する。神棚ユニットＵは、住宅の壁面Ｗの平坦部Ｗｆにボックス本体１の後壁部１ｒを重ね合わせた状態で、その後壁部１ｒの前側、即ちボックス本体１の内側より複数のタッピングボルトｂを壁面Ｗにねじ込むことにより、該壁面Ｗに設置、固定される。
【００２５】
そして、この設置状態において、通常は神棚ユニットＵの開閉扉２を図１実線（図２鎖線）で示すように閉じておく。この場合、神棚本体Ｋは、収納ボックスＢにより体裁よく隠蔽され、神棚ユニットＵは、住宅の壁面Ｗに固定された、装飾２ａ付きの扁平ボックス状家具のような外観、体裁をなしている。
【００２６】
また、神棚本体Ｋに拝礼するような場合には、神棚ユニットＵの開閉扉２を図１鎖線（図２実線）で示すように左右にスライドさせて開くことにより、ボックス本体１の開放前面１ｆを広く開放する。そして、載置板３を図３鎖線に示すように張出位置３Ｂまで引き出し、ボックス本体１内の下側物入れ空間Ｃ２に収納されていた神棚関連物品６や、お供え物等を、張出位置３Ｂの載置板３の上に載置して飾る。
【００２７】
このような神棚の使用状態から上記と逆の手順を経て開閉扉２を閉じれば、神棚ユニットＵは通常状態に戻り、神棚本体Ｋは収納ボックスＢにより体裁よく隠蔽される。
【００２８】
而して本実施例によれば、宮形をなす神棚本体Ｋが前後に扁平な箱状の収納ボックスＢに収納されており、そのボックス本体１の開放前面１ｆを、装飾２ａを施した開閉扉２で閉めておくことにより、神棚本体Ｋを体裁よく隠蔽できるため、神棚本体Ｋがモダンな室内環境から浮いたり違和感を感じさせたりする虞れはなく、従って、様々なスタイルの住宅環境と、神棚のある生活とを無理なく調和させることができる。
【００２９】
しかも前後に扁平な箱状をなす収納ボックスＢのボックス本体１の後部を住宅の壁面Ｗに固定するだけで、神棚本体Ｋの設置作業を簡単に行うことができるため、取り扱いが頗る簡便である。また前後に扁平な収納ボックスＢを壁面Ｗに沿って設置可能となることから、マンション等の比較的手狭な住宅の室内環境でも、室内スペースを大きく減ずることなく無理なく取付けできる。
【００３０】
さらに本実施例によれば、ボックス本体１に設けた仕切り部材Ｓに、物品を載置し得る載置板３が、ボックス本体１の前端よりも前方側に張り出した張出位置３Ｂと、ボックス本体１内に収まる格納位置３Ａとの間を前後摺動できるように設けられる。このため、前後に扁平な収納ボックスＢの採用に伴いボックス本体１の奥行きが小さくなっても、神棚本体Ｋの使用時には、張出位置３Ｂに引き出した載置板３上にお供え物等の物品６を載せるスペースを十分に確保可能となり、またその載置板３は、不使用時には格納位置３Ａにコンパクトに格納可能である。しかもボックス本体１内が上側の神棚本体収納空間Ｃ１と、下側の物入れ空間Ｃ２とに区画する仕切り部材Ｓを利用して、載置板３が取付けられるので、それだけ載置板３の取付構造の構造簡素化が図られる。さらにその仕切り部材Ｓ下側の空間Ｃ２を物入れ空間として有効活用できる。
【００３１】
その上、開閉扉２が、開き位置２Ｘと閉じ位置２Ｙとの間で左右方向にスライド可能としてボックス本体に取付けられるので、その扉２を開いた状態でも、それが前側の室内空間に大きく張り出す心配がなく、また開閉扉２を単純に左右動させるだけであるため、開閉操作性も良好である。
【００３２】
また図４には、前記神棚ユニットＵの住宅壁面Ｗの凹部Ｗｏへの取付け態様が示される。この取付け態様では、住宅の壁面Ｗに、ボックス本体１の正面形態に対応した矩形の凹部Ｗｏを形成し、この凹部Ｗｏ内にボックス本体１の後半部を嵌入する。そして、そのボックス本体１の上、下側壁１ｕ，１ｄ及び／又は左、右側壁１ｓ，１ｓ′を貫通する複数のタッピングボルトｂを前記凹部Ｗｏの内壁面７にねじ込むようにして、ボックス本体１が壁面Ｗに固定される。
【００３３】
而して、この取付け態様では、ボックス本体１の後部を住宅壁面Ｗの凹部Ｗｏ内に没入させるため、その没入分だけボックス本体１の住宅壁面Ｗからの張出し量を低減できる。従って、神棚ユニットＵを住宅空間に大きく張り出させることなく、すっきりと収納可能であり、その外観体裁を一層、良好なものとすることができる。
【００３４】
さらに図５には、本考案に係る神棚ユニットの第２実施例が示される。第１実施例では開閉扉２がスライド式（引き戸式）であるものを例示したが、本第２実施例では、開閉扉２が観音扉式に構成される。即ち、開閉扉２は、左右一対の扉半体２ｈ，２ｈ′より分割構成され、その左右の扉半体２ｈ，２ｈ′がボックス本体１の左、右側壁１ｓ，１ｓ′にヒンジ８を介して軸支され、その軸支部回りに開き位置２Ｘと閉じ位置２Ｙとの間を各々開閉揺動できるようになっている。
【００３５】
この第２実施例では、第１実施例のようなスライド機構Ｍｕ，Ｍｄが不要であり、それだけ開閉扉２の取付構造が簡素化される。なお、この第２実施例において、開閉扉２及びその取付構造以外の部分は、第１実施例と同様であるので、説明を省略する。
【００３６】
以上、本考案の実施の形態について説明したが、本考案は上記実施の形態に限定されるものではなく、実用新案登録請求の範囲に記載された本考案を逸脱することなく種々の設計変更を行うことが可能である。
【００３７】
例えば、前記実施例では、神棚本体Ｋの宮形は図示例の形態に限定されず、種々の宮形形態を任意に選定可能である。
【符号の説明】
【００３８】
Ｂ・・・・・収納ボックス
Ｃ１・・・・神棚本体収納空間
Ｃ２・・・・物入れ空間
Ｋ・・・・・神棚本体
Ｓ・・・・・仕切り部材
Ｕ・・・・・神棚ユニット
１・・・・・ボックス本体
１ｆ・・・・ボックス本体の開放前面
２・・・・・開閉扉
２ａ・・・・装飾としての凹凸模様
２Ｘ・・・・開閉扉の開き位置
２Ｙ・・・・開閉扉の閉じ位置
３・・・・・載置板
【図１】
0003155844.tif 000003
【図２】
0003155844.tif 000004
【図３】
0003155844.tif 000005
【図４】
0003155844.tif 000006
【図５】
0003155844.tif 000007